(57)【要約】      （修正有）【課題】デザインの個性化に寄与する、サニタリースペースで使用されるサニタリー設備品若しくはキャビネットの表面構造を提供する。【解決手段】顧客から提供されたデータに基づき作成された図柄がプリントされたフィルムが透明な樹脂板の内側に貼り付けられ、フィルムのデザインが正面から見えるように樹脂板を収納部用扉５，５の表面に接着して、収納部用扉５，５が洗面化粧台１のキャビネット７に観音開きができるように蝶番により、キャビネット７の前面側に取り付けられてなるサニタリー設備品を提供する。【選択図】図１
0003201604.tif 000002
【実用新案登録請求の範囲】
【請求項１】
顧客から提供されたデータに基づき作成された風景、人物、ペット、模様の少なくともいずれか一つを含む図柄がプリントされたフィルム、又は、前記フィルムが貼り付けられた透明部材が、収納部用扉或いは家庭用設備品の表面に接着されてなることを特徴とするサニタリー設備品若しくはキャビネットの表面構造。 
【考案の詳細な説明】
【技術分野】
【０００１】
本考案は、浴室、洗面所、トイレ等の衛生のための設備を備えるサニタリースペースで使用されるサニタリー設備品若しくはキャビネットの表面構造に関する。
【背景技術】
【０００２】
従来から、サニタリースペースで使用されるサニタリー設備品等のデザインについては、どちらかと言えばメーカー基準となり、そのバリエーションが画一的になる傾向があった。特に設置場所の壁部のデザインとサニタリー設備品のデザインとのミスマッチにより、デザインの調和が保てない等の問題があった。
【０００３】
従来、略垂直に設けられた正面平面鏡と、該正面平面鏡に対して隣接して位置し、該正面平面鏡と面一の状態から該正面平面鏡に対して内向きの状態まで揺動可能に設けられた隣接平面鏡とを有する化粧鏡において、前記正面平面鏡の端部裏側で前記隣接平面鏡の内側端よりも内側に光源が設けられ、該光源は、該隣接平面鏡が該正面平面鏡と面一の状態では該正面平面鏡及び該隣接平面鏡により実質的に隠蔽され、該隣接平面鏡が該正面平面鏡に対して内向きの状態では該隣接平面鏡により光が反射されるべく構成されている化粧鏡がある。（特許文献１参照）。
【先行技術文献】
【特許文献】
【０００４】
【特許文献１】特許第３８５２８０７号公報
【考案の概要】
【考案が解決しようとする課題】
【０００５】
しかし、従来技術は、化粧鏡の正面平面鏡の裏側に蛍光灯が設けられ、不使用状態では蛍光灯が正面平面鏡、左側平面鏡及び右側平面鏡により実質的に隠蔽されることによりデザイン性を発揮し、隣接平面鏡が正面平面鏡に対して内向きの状態で蛍光灯のスイッチをＯＮすれば、蛍光灯からの光が正面平面鏡及び左側平面鏡の間隙並びに正面平面鏡及び右側平面鏡の間隙から照射されて隣接平面鏡に反射されることにより、室内装飾効果を発揮する等、洗面化粧台の上部構造について工夫を凝らしているに過ぎないものである。
【０００６】
しかし、その化粧鏡を設けた洗面化粧台について、個性を発揮するための工夫はなく、メーカー基準の画一化されたデザインのものが提供されている。
【課題を解決するための手段】
【０００７】
本考案は、前記課題を解決し、有用で装飾性に優れるサニタリー設備品若しくはキャビネットの表面構造を提供するもので、顧客から提供されたデータに基づき作成された風景、人物、ペット、模様の少なくともいずれか一つを含む図柄がプリントされたフィルム、又は、前記フィルムが貼り付けられた透明部材が、収納部用扉或いは家庭用設備品の表面に接着されてなるサニタリー設備品若しくはキャビネットの表面構造である。
【０００８】
顧客から提供されたデータは、そのデータが保存された記憶媒体を顧客から預かるか、或いは電子メール等でデータを受信して、パソコンの印刷ソフトを使用してフィルムにプリントすることができる。
【０００９】
また、顧客から提供されたデータは、紙に印刷されたものでも良く、その場合は、スキャナーを用いてパソコンに電子データとして取り込んで、上記と同様に、パソコンの印刷ソフトを使って前記フィルムに顧客が提供したデータに基づきプリントすることができる。
【００１０】
このようにして顧客から提供されたデータに基づいて前記フィルムが作成され、その前記フィルムが透明部材に貼り付けられて、例えば、洗面化粧台の収納部用扉の表面に前記透明部材が接着されることにより、顧客毎に個性ある洗面化粧台等のサニタリー設備品が提供できる。
【００１１】
さらに本考案は、前記フィルムの応用として、前記洗面化粧台だけではなく、例えば、水洗トイレの水タンクの正面、或いは便座蓋等の曲面部分に前記フィルムを直接貼り付けても良く、サニタリースペースの全体のデザインに顧客自身の個性を発揮することができ、さらにまた家庭で使用される木質家具のキャビネットの扉についても個性あるデザイン構造が提供できる。
【考案の効果】
【００１２】
本考案によれば、サニタリースペースに設置される設備品或いはキャビネットの装飾について、どちらかと言えばメーカー基準となり、そのバリエーションが画一的になる傾向があった中で、サニタリースペース等の全体のデザイン性を顧客自身でコントロールできるとともに、個性を有する製品を製作することができ、結果として、顧客満足度の向上に寄与できる。
【００１３】
また、従来技術では、画一的なデザインを提供するしかなかった設備製造業者に対して、今まで無かった新しいビジネスモデルを提供できる。
【図面の簡単な説明】
【００１４】
【図１】本考案の一実施例を示し、洗面化粧台の正面図である。
【図２】本考案の一実施例を示し、図１の洗面化粧台の右側面図である。
【図３】本考案の一実施例を示し、図２の洗面化粧台のＡ−Ａ断面図である。
【図４】本考案の一実施例を示し、顧客から提供されたデータ（この場合は模様）に基づき作成された図柄をプリントされたフィルムの正面図である。
【図５】本考案の一実施例を示し、図４のフィルムのＢ−Ｂ端面図である。
【図６】本考案の一実施例を示し、顧客から提供されたデータに基づき作成された図柄をプリントされたフィルムの使用状態を示す参考図で、図１の洗面化粧台の収納部用扉（右側のみ図示し、左側は図示略）の正面図である。
【図７】本考案の一実施例を示し、図６の洗面化粧台の収納部用扉のＣ−Ｃ端面図である。
【考案を実施するための形態】
【００１５】
以下、本考案に係る実施の形態を、サニタリースペースに設置される洗面化粧台を例として、図を参照しながら詳しく説明する。
【００１６】
本考案のサニタリー設備品は、図１乃至図７に示すように、顧客から提供されたデータに基づき作成された図柄がプリントされたフィルム３が透明な樹脂板５１に貼り付けられ、前記フィルム３のデザインが正面から見えるように前記樹脂板５１を収納部用扉５，５の表面に接着して、前記収納部用扉５，５が洗面化粧台１のキャビネット７に観音開きができるように蝶番により、前記キャビネット７の前面側に取り付けられてなる。
【００１７】
この前記キャビネット７の上部には、洗面器９が載置されて、洗面ユニット１０が構成されてなる。また、前記洗面器９には、水栓レバー９１、水栓ノズル９３及び排水口９５が配設されてなる。
【００１８】
また、前記キャビネット７の上部の背面側には、化粧鏡１３が設けられた化粧ユニット１１が構成されてなる。また、前記化粧鏡１３の両側には小物入れ１１１、前記化粧鏡１３の右側にはコンセント１１３及び照明用スイッチ１１５が配設されてなる。さらに、前記化粧ユニット１１の上部には、電球等からなる照明装置１１７が配設されてなる。
【００１９】
このようにしてなる、前記洗面化粧台１には、電源コード１５が接続されて、商用電源が供給されて、前記コンセント１１３、前記照明用スイッチ１１５及び前記照明装置１１７に接続されてなる。
【００２０】
また、前記洗面化粧台１は、設置する壁部に転倒防止用に木ネジ１１９で固定されてなる。
【００２１】
本考案のサニタリー設備品のデザインは、図４及び図５に示すように、顧客から提供された風景、人物、ペット、模様からなる図柄を含むデータをパソコンの印刷ソフトを使用してプリンターにより、顧客の要望に基づいてプリント図柄Ｐを前記フィルム３にプリントする。
【００２２】
アクリル樹脂等からなる透明な前記樹脂板５１の内側に前記プリント図柄Ｐがプリントされた前記フィルム３が貼り合わされて、この前記樹脂板５１が図６及び図７に示すように、前記収納部用扉５の表面に接着されてなり、その上方に把手５３が設けられている。
【００２３】
前記洗面化粧台１の前記収納部用扉５，５は中央を対称とした観音開きとなっており、左右対称のために、前記収納部用扉５，５の右側だけを図面化している。また、前記収納部用扉５，５は、蝶番により前記キャビネット７に取り付けられてなる。
【００２４】
上記の通り、本考案によれば、顧客の要望に応じた個性ある前記収納部用扉５，５を提供することができる。本考案は、前記実施例に限らず、トイレの水タンクの表面や便座の蓋の上面等のデザイン、或いは家庭用キャビネットの扉表面のデザインについても適用することができる。
【００２５】
また、本考案によれば、前記フィルム３に表されたデータは顧客の提供により、顧客の好みに合ったものにできるため、顧客の満足度の向上に寄与できる。
【００２６】
また、本考案によれば、顧客の好みで顧客自身のデザインに合わせることもできるので、顧客の選択肢が大幅に広がることにより、サニタリースペースに設置される各種設備品のデザインの個性化に寄与するとともに、新たなビジネスモデルの提供が期待できる。
【符号の説明】
【００２７】
１    洗面化粧台
３    フィルム
５    収納部用扉
７    キャビネット
９    洗面器
１０    洗面ユニット
１１    化粧ユニット
１３    化粧鏡
１５    電源コード
５１    樹脂板
５３    把手
９１    水栓レバー
９３    水栓ノズル
９５    排水口
１１１    小物入れ
１１３    コンセント
１１５    照明用スイッチ
１１７    照明装置
１１９    木ネジ
Ｐ    プリント図柄
【図１】
0003201604.tif 000003
【図２】
0003201604.tif 000004
【図３】
0003201604.tif 000005
【図４】
0003201604.tif 000006
【図５】
0003201604.tif 000007
【図６】
0003201604.tif 000008
【図７】
0003201604.tif 000009